(57)【特許請求の範囲】
【請求項１】
固有のＩＤコードを有する電子キーと、
建物の複数箇所にそれぞれ設置され、ドア又は引戸の施解錠をする施解錠装置と、
前記電子キーのＩＤコードと予め記憶された登録情報とに基づいて前記施解錠装置の施解錠を制御し、複数の前記電子キーのＩＤコードを登録可能とするとともに、前記複数のＩＤコードごとに、それぞれ施解錠可能な一又は複数の前記施解錠装置を登録可能とした施解錠制御装置と、
所定のモード設定操作により外出警戒モードの設定がなされるモード設定手段と、
を備え、
前記モード設定手段により外出警戒モードに設定され、かつ建物内に異常解錠が検出された場合に、前記施解錠制御装置は、異常解錠が発生した建物内の箇所に応じて、予めＩＤコードが登録されている特定の電子キーについて当該特定の電子キーのＩＤコードで施解錠可能な前記施解錠装置を決定することを特徴とする建物のセキュリティシステム。
【請求項２】
前記施解錠制御装置は、建物の入口から前記異常解錠が発生したエリアに侵入するために必要な施解錠装置のみを、前記特定の電子キーにより施解錠可能な施解錠装置とすることを特徴とする請求項１に記載の建物のセキュリティシステム。
【請求項３】
前記外出警戒モードが設定されている状態において、予め施解錠装置を施解錠可能として登録されている電子キーによりその施解錠装置が解錠された場合は、前記外出警戒モードを解除することを特徴とする請求項１又は請求項２に記載の建物のセキュリティシステム。
【請求項４】
前記モード設定手段は、前記外出警戒モード以外に、警戒解除モード及び在宅警戒モードを設定可能であり、前記電子キーによる解錠に基づいて前記外出警戒モードが解除された場合には自動的に在宅警戒モードに設定することを特徴とする請求項３に記載の建物のセキュリティシステム。
【請求項５】
前記特定の電子キーは警備会社が所有する電子キーであることを特徴とする請求項１から請求項４のいずれかに記載の建物のセキュリティシステム。
【請求項６】
前記異常解錠が発生した場合に前記警備会社への通報を行う通報手段を有することを特徴とする請求項５に記載の建物のセキュリティシステム。
【請求項７】
警備会社が所有する前記電子キーによって前記外出警戒モードが一時的に解除された場合に、警備会社に巡回開始信号が送信されることを特徴とする請求項５又は請求項６に記載の建物のセキュリティシステム。
【請求項８】
警備会社が所有する前記電子キーによって前記外出警戒モードが再設定された場合に、警備会社に巡回終了信号が送信されることを特徴とする請求項５から請求項７のいずれかに記載の建物のセキュリティシステム。
【請求項９】
前記巡回開始信号が送信された場合、巡回履歴が記録されることを特徴とする請求項７に記載の建物のセキュリティシステム。
【請求項１０】
前記巡回終了信号が送信された場合、巡回履歴が記録されることを特徴とする請求項８に記載の建物のセキュリティシステム。
【発明の詳細な説明】
【技術分野】
【０００１】
本発明は、建物のセキュリティシステムに関するものである。
【背景技術】
【０００２】
近年、ピッキング等によって玄関ドアを不正に解錠して建物内に侵入する犯罪が急増している。その対策として、不正な建物内への侵入を検知して警備会社等に通報するセキュリティシステムが提案されている（例えば、特許文献１参照）。セキュリティシステムにより建物内への不正な侵入が警備会社に通報されると、警備員が現地に急行する。そして、警備員は予め建物の所有者から預かっている予備キーで建物の錠を解錠し、建物内を巡回して異常をチェックしている。しかしながら、従来のセキュリティシステムにおいては、現地に急行した警備員は不正侵入と関係ない部屋まで巡回が可能である。そのため、住人のプライバシー等の保護が必ずしも十分とはいえなかった。
【０００３】
また、近年は同じ建物の住人同士の間でもプライバシーを重視する傾向にある。しかし、各部屋ごとに入室できる人を決める場合、各部屋のドアそれぞれについて錠を設置し、その錠の鍵を入室が許可されている人に所持させなければならない。そのため、装備が面倒であるとともに、各人が複数の鍵を所持することとなり煩わしさを伴っていた。
【０００４】
なお、近年は、利便性の観点からいわゆる電子錠が使用されるようになってきている。電子錠は、電子キーのＩＤコードと電子錠の登録情報とを照合することにより、自動的に施解錠がなされるものである。この場合には、１本の電子キーのＩＤコードを複数箇所の電子錠に登録することで、複数の鍵を所持しなければならない煩わしさは解消される。しかし、その場合でも、施解錠可能とするすべての電子錠の各々に対して電子キーのＩＤコードを登録する必要がある。登録する複数の電子錠が住宅内に点在している場合などは、各々の電子錠に対して電子キーのＩＤコードを登録する手続きは面倒である。
【特許文献１】特許第２６８４０６３号公報
【発明の開示】
【発明が解決しようとする課題】
【０００５】
本発明は、上記問題に鑑みなされたものであり、各電子キーで施解錠可能な施解錠装置を個別に設定可能とするとともに、そのための手続きも簡便な建物のセキュリティシステムを提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
本発明は、固有のＩＤコードを有する電子キー（電子キー２３）と、ドア（ドア１１等）の施解錠をする施解錠装置（電子錠２４）と、前記電子キーのＩＤコードと予め記憶された登録情報とに基づいて前記施解錠装置の施解錠を制御する施解錠制御装置（セキュリティ制御装置２６）とを備える建物（住宅１０）のセキュリティシステムであって、前記建物の複数箇所にそれぞれ前記施解錠装置を設置し、前記施解錠制御装置に複数の前記電子キーのＩＤコードを登録可能とするとともに、前記複数のＩＤコードごとに、それぞれ施解錠可能な一又は複数の前記施解錠装置を登録可能としたことを特徴としている。
【０００８】
これにより、ＩＤコードが登録された複数の電子キーのそれぞれに対して、施解錠可能な施解錠装置を個別に設定することができる。しかも、あるＩＤコードが登録された電子キーで施解錠可能な施解錠装置を施解錠制御装置に予め登録しておけば、各人は１本の電子キーを所有するのみでよい。このため、ドアごとの複数の鍵を所持する必要もなくなる。また、あるＩＤコードに対し施解錠可能な施解錠装置を施解錠制御装置に一括して登録することができる。これにより、ＩＤコードの登録手続きも簡易になる。
【０００９】
前記建物の複数のエリアに前記施解錠装置を設置し、これら各施解錠装置について施解錠可能な前記電子キーのＩＤコードを前記施解錠制御装置が登録することにより、当該登録された電子キーでのみ前記複数のエリアに設置された各施解錠装置を施解錠可能とすることが望ましい。これによると、施解錠装置が設置されたエリアの施解錠装置を施解錠できる電子錠を特定のものに限定することができる。この結果、例えば、同じ建物の住人同士の間でも、各自の部屋に入室可能な人を選択的に設定できる。これにより、各住人のプライバシーを保護することが可能となる。
【００１０】
前記電子キーは、当該電子キーが有する個別のＩＤコードを送信する送信手段（送信回路２７、送信アンテナ２７ａ）を有し、前記施解錠装置は、前記電子キーが送信したＩＤコードを受信する受信手段（受信アンテナ３２ｂ，３３ｂ、受信回路３５）を有し、前記施解錠制御装置は、前記施解錠装置が受信したＩＤコードを取得し、当該ＩＤコードが当該ＩＤコードの取得元である施解錠装置を施解錠可能として登録されている場合に、前記ＩＤコードの取得元である施解錠装置に対して施解錠の制御を行うことが望ましい。これによると、電子キーの所有者はキーを鍵穴に差し込んで回す等の行為をしなくても、施解錠制御装置が電子錠の施解錠を制御する。その結果、高い利便性を確保することができる。
【００１１】
前記電子キーは、当該電子キーが有する固有のＩＤコードを送信する送信手段を有し、前記施解錠装置は、前記電子キーが送信したＩＤコードを受信する受信手段を有し、前記施解錠制御装置は、前記施解錠装置が受信したＩＤコードを取得し、当該ＩＤコードが当該ＩＤコードの取得元である施解錠装置を施解錠可能として登録されていない場合に、前記ＩＤコードの取得元である施解錠装置に対する解錠を禁止することが望ましい。これによると、施解錠制御装置が取得したＩＤコードがその取得元である施解錠装置を施解錠可能であるとして登録されていない場合には、施解錠制御装置による施解錠装置の解錠がなされない。これにより、登録されていない電子キーで施解錠装置の解錠されるのを抑止できるので、高い防犯性を確保することができる。
【００１２】
前記施解錠装置は、当該施解錠装置周辺の所定領域（所定領域Ｘ１，Ｘ２）に前記電子キーのＩＤコードの送信を要求するリクエスト信号を送信する送信手段（送信アンテナ３２ａ，３３ａ、送信回路３４）及び前記電子キーから送信されてきたＩＤコードを受信する受信手段を有し、前記電子キーは、前記施解錠装置からのリクエスト信号を受信する受信手段（受信回路２８、受信アンテナ２８ａ）及び前記リクエスト信号受信時に当該電子キーが有する固有のＩＤコードを前記施解錠装置に送信する送信手段を有し、前記施解錠制御装置は、前記施解錠装置が受信したＩＤコードを取得し、当該ＩＤコードが当該ＩＤコードの取得元である施解錠装置を施解錠可能として登録されている場合に前記ＩＤコードの取得元である施解錠装置を解錠するとともに、前記施解錠装置の受信手段から前記電子キーからの個別のＩＤコードを受信できなくなった場合に前記解錠した施解錠装置を施錠することが望ましい。
【００１３】
これによると、電子キーは施解錠装置からリクエスト信号が送信されている所定領域に入ると、施解錠装置に対してＩＤコードを送信する。そして、施解錠装置に送信されたＩＤコードは、施解錠制御装置に取得される。施解錠制御装置は、取得したＩＤコードがそのＩＤコードの取得元である施解錠装置を施解錠可能として登録されている場合には、ＩＤコードの取得元である施解錠装置を解錠する。そして、電子キーが施解錠装置からリクエスト信号が送信されている所定領域の外に出ることにより、施解錠制御装置が施解錠装置を介してＩＤコードを取得できなくなった場合には、解錠した施解錠装置を施錠する。これにより、電子キーを所持して施解錠装置に近づけば施解錠装置が解錠され、その後施解錠装置から離れれば施解錠装置が施錠されることとなる。この結果、電子キーの所持者が特別な操作を行うことなく、施解錠装置の施解錠が可能になり、より利便性が向上する。
【００１４】
所定のモード設定操作により外出警戒モードの設定がなされるモード設定手段（モード設定ボタン３１）と、外部への通報を行うことが可能な通報手段（通報部４１）と、前記ドアに設けられ、当該ドアの施解錠装置の施解錠状態を検出する施解錠状態検出センサ（施解錠状態検出センサ３７）とを備え、前記モード設定手段により外出警戒モードに設定され、かつ、前記施解錠装置が施錠状態とされている場合において、施解錠可能と登録されている前記電子キーによらずに前記施解錠装置が解錠状態とされたことを検出した場合に、前記通報手段が外部への通報を行うことが望ましい。
【００１５】
また、所定のモード設定操作により外出警戒モードの設定がなされるモード設定手段と、外部への通報を行う通報手段と、施解錠可能な窓錠を備えた窓（窓１３等）に設けられ、当該窓錠の施解錠状態を検出する窓錠施解錠状態検出センサ（施解錠状態検出センサ４３）とを備え、前記モード設定手段により外出警戒モードに設定され、かつ、前記施解錠装置が施錠状態とされている場合において、前記窓錠施解錠状態検出センサが前記窓錠の解錠状態を検出した場合に、前記通報手段が外部への通報を行うことが望ましい。
【００１６】
これらの構成によると、外出警戒モード設定時に、施解錠可能と登録されている電子キーによらない施解錠装置の解錠もしくは窓錠の解錠が検出された場合には、外部に通報が行われる。これにより、高い防犯性を確保することができる。
【００１７】
前記通報手段が外部への通報を行う場合において、前記通報手段はいずれの前記施解錠装置もしくは前記窓錠において解錠がなされたかを通報することが望ましい。これにより、通報を受けた者が現場に急行した際にどの場所の異常を確認すればよいかを容易に知ることができる。
【００１８】
前記通報手段が外部への通報を行う場合において、前記施解錠制御装置は、いずれの前記施解錠装置もしくは前記窓錠において解錠がなされたかに応じて、予めＩＤコードが登録されている一の前記電子キーについて当該一の電子キーのＩＤコードで施解錠可能な前記施解錠装置の登録を変更することが好ましい。これによると、例えば異常発生時に警備会社の警備員が現場に急行して異常を確認する場合において、警備員が所持している電子キーによっては建物における異常発生エリアに入るために必要最小限の施解錠装置のみを施解錠可能に設定することができる。この結果、異常発生エリアに入るために必要のないエリアに警備員が入ることはできないので、建物所有者のプライバシーも保護することができる。
【００１９】
前記施解錠装置のいずれかが予め施解錠可能として登録されている前記電子キーにより解錠された場合に前記外出警戒モードを解除することが望ましい。これにより、正当な電子キーの所持人により施解錠装置が解錠された場合に、外出警戒モード解除の設定の手間を省くことができる。また、正当な電子キーの所持人が建物内に入った後に、窓を開けた場合等に外部に異常通報がなされるのを抑止することも可能になる。
【発明を実施するための最良の形態】
【００２０】
以下に、本発明を具体化した実施形態について図面を参照しつつ説明する。図１は本実施形態に係るセキュリティシステムが装備されている住宅の間取図、図２は本実施形態に係るセキュリティシステムのブロック図、図３は本実施形態に係る玄関ドアの構成を概略的に示す図、図４から図６は本実施形態にかかるセキュリティシステムのフローチャートである。
【００２１】
図１に示すように、本セキュリティシステムが装備されている住宅１０は、玄関ホールＡ、和室Ｂ、居間Ｃ、洗面室Ｄ、浴室Ｅ、トイレＦ、２階への階段Ｇ等の空間を有している。住宅１０には、玄関ドア１１、勝手口ドア１２、和室Ｂの窓１３、居間Ｃの窓１４，１５、洗面室Ｄの窓１６、浴室Ｅの窓１７、トイレＦの窓１８が設けられている。また、玄関ホールＡと居間Ｃ及び２階への階段Ｇとの間にはドア１９，２０がそれぞれ設けられ、玄関ホールＡと和室Ｂ及び洗面室Ｄとの間には引戸２１，２２がそれぞれ設けられている。
【００２２】
図２に示すように、セキュリティシステムは、住宅１０の所有者（家人）によって所持されている電子キー２３と、住宅１０の各ドア１１，１２，１９，２０及び引戸２１，２２内に配設されている電子錠２４と、建物の各窓１３〜１５，１６〜１８に配設されている窓センサ２５と、すべての電子錠２４の施解錠制御等を一括して管理しているセキュリティ制御装置２６とから構成されている。なお、各ドア１１，１２，１９，２０、引戸２１，２２内に配設されている電子錠２４及び各窓１３〜１５，１６〜１８に設けられている窓センサ２５はそれぞれ同じものであるので、図２においては、それぞれ１つずつのみが示されている。以下、玄関ドア１１に設けられている電子錠２４を一例として、本セキュリティシステムについて詳述する。
【００２３】
＜電子キー２３の構成＞
電子キー２３は、家人によって所持されるものである。図２に示すように、電子キー２３は、送信回路２７、送信アンテナ２７ａ、受信回路２８、受信アンテナ２８ａ、マイコン２９、ＩＤ登録ボタン３０及びモード設定ボタン３１を含んで構成されている。受信回路２８は、受信アンテナ２８ａによって受信した電子錠２４から送信されるリクエスト信号をマイコン２９に入力するための回路である。マイコン２９には、ＩＤコード（固有の識別情報）が予め記憶されている。送信回路２７は、ＩＤコードを所定周波数の電波に変調して送信アンテナ２７ａから送信するための回路である。また、電子キー２３は、セキュリティ制御装置２６にも無線通信可能に構成されている。
【００２４】
図３に示すように、電子キー２３上には、ＩＤ登録ボタン３０とモード設定ボタン３１が設けられている。ＩＤ登録ボタン３０は、この電子キー２３のＩＤコードを含むＩＤコード信号をセキュリティ制御装置２６に送信するためのものである。また、モード設定ボタン３１は、セキュリティ制御装置２６で管理しているセキュリティシステムのモードを変更するためのものである。
【００２５】
＜電子錠２４の構成＞
図２及び図３に併せて示すように、電子錠２４は、屋外アンテナ部３２、屋内アンテナ部３３、送信回路３４、受信回路３５、電動サムターン３６、施解錠状態検出センサ３７及びドア開閉状態検出センサ３８を含んで構成されている。
【００２６】
屋外アンテナ部３２は玄関ドア１１の屋外側に露出して設けられ、屋内アンテナ部３３は玄関ドア１１の屋内側に露出して設けられている。図２に示すように、屋外アンテナ部３２の内部は、送信アンテナ３２ａと受信アンテナ３２ｂとが配設されている。また、屋内アンテナ部３３の内部は、送信アンテナ３３ａと受信アンテナ３３ｂとが配設されている。送信アンテナ３２ａ，３３ａは送信回路３４に電気的に接続され、受信アンテナ３２ｂ，３３ｂは受信回路３５に電気的に接続されている。
【００２７】
送信回路３４は、セキュリティ制御装置２６のマイコン３９から出力されるリクエスト信号を所定周波数の電波に変調し、送信アンテナ３２ａ，３３ａから送信するための回路である。詳述すると、送信回路３４は、送信アンテナ３２ａを介して屋外側における玄関ドア１１周辺の所定領域Ｘ１にリクエスト信号を送信しているとともに、送信アンテナ３３ａを介して屋内側における玄関ドア１１周辺の所定領域Ｘ２にリクエスト信号を送信している。すなわち、これらの所定領域Ｘ１，Ｘ２において、電子キー２３はリクエスト信号を受信可能となっている。
【００２８】
受信回路３５は、受信アンテナ３２ｂ，３３ｂによって受信された電子キー２３からのＩＤコード信号をパルス信号に復調して受信信号を生成し、セキュリティ制御装置２６が備えるマイコン３９に入力するための回路である。
【００２９】
また、玄関ドア１１の屋内側には、電動サムターン３６が配設されている。電動サムターン３６は、セキュリティ制御装置２６により施解錠制御が可能となっている。さらに、図３においては図示していないが、玄関ドア１１には、電動サムターン３６の施解錠状態を検出する施解錠状態検出センサ３７及び玄関ドア１１の開閉状態を検出するドア開閉状態検出センサ３８が配設されている。
【００３０】
電動サムターン３６はセキュリティ制御装置２６のマイコン３９と接続されている。そして、セキュリティ制御装置２６のマイコン３９からの施解錠信号が入力されると電動サムターン３６が施解錠されるようになっている。
【００３１】
施解錠状態検出センサ３７は、電動サムターン３６の施解錠状態を検出し、その検出結果をセキュリティ制御装置２６のマイコン３９に出力している。また、ドア開閉状態検出センサ３８も玄関ドア１１の開閉状態を検出し、その検出結果をセキュリティ制御装置２６のマイコン３９に出力している。
【００３２】
＜セキュリティ制御装置２６の構成＞
図２に示すように、セキュリティ制御装置２６は、マイコン３９、受信回路４０、受信アンテナ４０ａ、通報部４１及び表示部４２を含んで構成されている。
【００３３】
マイコン３９は、具体的にはＣＰＵ，ＲＯＭ，ＲＡＭからなるＣＰＵユニットである。マイコン３９には、住宅１０のドア１１，１２，１９，２０、及び引戸２１，２２に設けられている各電子錠２４を施解錠可能な電子キー２３のＩＤコードが予め記憶されている。ＩＤコードをマイコン３９に記憶させるためには、まず電子キー２３のＩＤ登録ボタン３０を押して電子キー２３のＩＤコードを含むＩＤコード信号をセキュリティ制御装置２６に送信する。その後、セキュリティ制御装置２６に設けられている住宅１０の各ドア１１，１２，１９，２０、及び引戸２１，２２に対応するボタン（図示省略）を押す。これにより、ある電子キー２３のＩＤコードで施解錠可能な電子錠２４がマイコン３９に登録される。このような方法で各電子錠２４を施解錠可能なＩＤコードを登録することにより、複数の家人の持つ電子キー２３のそれぞれについて、施解錠可能な電子錠２４を個別に設定することが可能になっている。なお、セキュリティ性をより高めるために、各電子錠２４を施解錠可能な電子キー２３のＩＤコードをマイコンに登録する際に、暗証番号の入力を要求するようにしてもよい。
【００３４】
マイコン３９には、リクエスト情報が記憶されている。そして、マイコン３９は、セキュリティシステムが作動している間、常時、リクエスト信号を所定周波数の電波に変調し、電子錠２４の送信回路３４へと出力している。また、マイコン３９には、電子キー２３からのＩＤコード信号をパルス信号に復調した受信信号が電子錠２４の受信回路３５から入力されている。
【００３５】
マイコン３９では、電子錠２４から入力されたＩＤコードと予め記憶（登録）されたＩＤコードとが比較（照合）される。すなわち、入力されたＩＤコードがこのＩＤコードの入力元である電子錠２４を施解錠可能なものとして登録されているかが照合される。両者が一致する場合には、マイコン３９はこれを認証して電動サムターン３６に解錠信号を出力し電子錠２４が解錠される。一方、両者が一致しない場合には、マイコン３９はこれを認証せず電動サムターン３６に解錠信号を出力しない。そのため、電子錠２４の施錠状態が維持される。また、マイコン３９にＩＤコードが入力されていない場合にも、電動サムターン３６には解錠信号が出力されず、電子錠２４が施錠状態とされる。
【００３６】
マイコン３９は、セキュリティシステムのモードの管理も行っている。セキュリティシステムには、外出警戒モード、在宅警戒モード及び警戒解除モードの３つのモードが用意されている。外出警戒モードは、外出時に設定されるモードである。このモードは、電子キー２３による正常な解錠がなされない限り、すべての電子錠２４及び窓錠の解錠を異常と判断するモードである。この外出警戒モードは、ある電子錠２４について施解錠可能と登録されている電子キー２３で正常な解錠がなされた場合に解除される。在宅警戒モードは在宅時に設定されるモードであり、個別に設定する場合の他、外出警戒モードが電子キー２３で正常に解錠された場合にも自動的に設定される。在宅警戒モードでは、窓の異常検出については解除される。また、警戒解除モードは、すべての電子錠２４及び窓錠の異常検出を解除するモードである。これらのモードの切り替えは、電子キー２３に設けられているモード設定ボタン３１を押して、モード設定信号をセキュリティ制御装置２６に送信することで行われる。
【００３７】
マイコン３９は、玄関ドア１１に設けられている施解錠状態検出センサ３７及びドア開閉状態検出センサ３８と接続されており、両センサ３７，３８の検出結果がマイコン３９に入力されている。そして、外出警戒モード設定時に、施解錠可能として登録されている電子キー２３によらずに電子錠２４の解錠がなされたこと（異常解錠）を検出した場合には、通報部４１より警備会社に通報されるようになっている。この場合、いずれの電子錠２４において異常が発生したかについても通報される。また、在宅警戒モードにおいて異常解錠が検出された場合には、いずれの電子錠２４において異常が発生したかが表示部４２に表示されるようになっている。
【００３８】
玄関ドア１１以外のドア１２，１９，２０及び引戸２１，２２に設けられている電子錠２４についても、基本的構成は玄関ドア１１のものと同じである。また、窓１３〜１５，１６〜１８には電子錠２４は設けられていないが、窓錠の施解錠状態を検出する施解錠状態検出センサ４３及び窓の開閉状態を検出する窓開閉状態検出センサ４４が設けられている。そして、窓錠の施解錠状態及び窓の開閉状態がセキュリティ制御装置２６のマイコン３９に入力されている。外出警戒モード時に、窓錠の解錠状態もしくは窓の開状態が検出された場合も、いずれの窓で異常解錠が発生したかが通報部４１から警備会社に通報されるようになっている。
【００３９】
次に、図４から図６のフローチャートを参照しつつ、本実施形態の作用について説明する。
【００４０】
図４に示すように、外出時、電子キー２３を持った家人が玄関ドア１１に近づくと（ステップＳ１０１）、電子キー２３の認証が行われる（ステップＳ１０２）。具体的には、電子キー２３を持った家人がリクエスト信号の到達圏内Ｘ２に進入すると、屋内アンテナ部３３から送信されてきたリクエスト信号が電子キー２３の受信アンテナ２８ａに受信される。このため、電子キー２３の送信アンテナ２７ａからＩＤコード信号が送信される。このＩＤコード信号が屋内アンテナ部３３に受信されると、受信回路３５からセキュリティ制御装置２６のマイコン３９にＩＤコード信号が入力される。そして、セキュリティ制御装置２６によって、入力されたＩＤコードと予め登録されたＩＤコードとが一致しているか否かが判断される。一致していれば認証され、電動サムターン３６に解錠信号が送られる（ステップＳ１０３）。これにより、電動サムターン３６は解錠状態とされ、玄関ドア１１を通過することができる（ステップＳ１０４）。
【００４１】
玄関ドア１１を通過して玄関ドア１１を閉じた後（ステップＳ１０５）、玄関ドア１１から離れてリクエスト信号到達圏内Ｘ１から出ると（ステップＳ１０６）、電子キー２３からＩＤコード信号が送信されなくなる。そのため、セキュリティ制御装置２６によって電動サムターン３６が自動的に施錠状態とされる（ステップＳ１０７）。住宅１０内に誰もいなくなる場合には、電子キー２３のモード設定ボタン３１が押されることにより、外出警戒モードにセットされる（ステップＳ１０８）。
【００４２】
図５に示すように、家人の留守中は、外出警戒モードが維持されている（ステップＳ２０１）。この状態において、侵入者がピッキングやガラス破り等によって、電動サムターン３６もしくは窓錠を解錠すると、施解錠状態検出センサ３７，４３により電子錠２４もしくは窓錠が解錠されたことが検出される。この検出結果がセキュリティ制御装置２６のマイコン３９に入力されると、セキュリティ制御装置２６は、外出警戒モード時における登録された電子キー２３によらない解錠であるとして、異常解錠がなされたと判断する（ステップＳ２０２）。そして、通報部４１より異常の発生及び異常の発生した電子錠２４又は窓錠が警備会社に通報される（ステップＳ２０３）。
【００４３】
警備会社の警備員が所持している電子キー２３のＩＤコードは予めセキュリティ制御装置２６に登録されている。ただし、警備員の所持している電子キー２３でどのドア１１，１２，１９，２０及び引戸２１，２２の電子錠２４が施解錠可能かは、予めは登録されておらず、異常発生時にセキュリティ制御装置２６により自動的に登録される（ステップＳ２０４）。登録されるドア１１，１２，１９，２０及び引戸２１，２２の電子錠２４は、警備員が玄関ドア１１から異常が発生したエリアに入るために必要最小限の箇所のみとされている。
【００４４】
例えば、居間Ｃの窓１４又は１５で異常が検出された場合には、玄関ドア１１から異常発生エリアである居間Ｃに入るために必要な電子錠２４として、玄関ドア１１及びドア１９の電子錠２４が施解錠可能と登録される。また、和室Ｂの窓１３で異常が検出され、その後、引戸２１，２２で引き続き異常が検出された場合には、玄関ドア１１から異常発生エリアである和室Ｂ、玄関ホールＡ、及び洗面室Ｄに入るために必要な電子錠２４として、玄関ドア１１及び引戸２１，２２の電子錠２４が施解錠可能と登録される。
【００４５】
警備員が駆けつけ、警備員の所持している電子キー２３が玄関ドア１１の屋外側から認証されると（ステップＳ２０５）玄関ドア１１の電子錠２４が解錠され（ステップＳ２０６）、外出警戒モードが一時的に解除される（ステップＳ２０７）。警備員の所持している電子キー２３で外出警戒モードが一時的に解除されると、警備員の巡回が開始されたとして、セキュリティ制御装置２６から警備会社に警備員の巡回開始信号が送信される（ステップＳ２０８）。これにより、警備員の巡回開始が履歴として警備会社に記録される。警備員は、異常発生エリアを巡回して異常があるかを確認する（ステップＳ２０９）。異常があれば警察に連絡をする等適切な処置をし、異常がなければ所持している電子キー２３を用いて玄関ドア１１から退出するとともに、玄関ドア１１が施錠される（ステップＳ２１０）。そして、警備員が電子キー２３のモード設定ボタン３１を押すことにより外出警戒モードに再設定される（ステップＳ２１１）。外出警戒モードに再設定されると、警備員の巡回が終了したとして、セキュリティ制御装置２６から警備会社に巡回終了信号が送信される（ステップＳ２１２）。これにより、警備員の巡回終了が履歴として警備会社に記録される。
【００４６】
図６に示すように、帰宅時、電子キー２３を持った家人が玄関ドア１１に近づくと（ステップＳ３０１）、電子キー２３の認証が行われる（ステップＳ３０２）。具体的には、電子キー２３を持った家人がリクエスト信号の到達圏内Ｘ１に進入すると、屋外アンテナ部３２から送信されてきたリクエスト信号が電子キー２３の受信アンテナ２８ａに受信される。このため、電子キー２３の送信アンテナ２７ａからＩＤコード信号が送信される。このＩＤコード信号が屋外アンテナ部３２に受信されると、受信回路３５からセキュリティ制御装置２６のマイコン３９にＩＤコード信号が入力される。そして、セキュリティ制御装置２６によって、入力されたＩＤコードと予め登録されたＩＤコードとが一致しているか否かが判断される。一致していれば認証され、電動サムターン３６に解錠信号が送られて電子錠２４が解錠されるとともに（ステップＳ３０３）、外出警戒モードが解除される（ステップＳ３０４）。
【００４７】
在宅時においても、セキュリティ制御装置２６が警戒解除モードに設定されていない限り、家人はすべてのドア１１，１２，１９，２０及び引戸２１，２２を通過できるわけではない。すなわち、家人の各々が所持する電子キー２３のＩＤコードで施解錠可能と登録されている電子錠２４が備わったドア１１，１２，１９，２０及び引戸２１，２２のみを通過することができる。したがって、警戒解除モードでない限り、家人であっても所定のエリアへの入室が禁止される場合がある。
【００４８】
以上詳述した本実施形態に係るセキュリティシステムは、以下の優れた効果を有する。本実施形態に係るセキュリティシステムでは、一つのセキュリティ制御装置２６で複数の電子錠２４の施解錠制御を一括して管理している。すなわち、あるＩＤコードを有する電子キー２３でどの電子錠２４が施解錠可能かを一つのセキュリティ制御装置２６に登録することができようになっている。また、このセキュリティ制御装置２６には、複数の電子キー２３のそれぞれについて、施解錠可能な電子錠２４を登録可能となっている。
【００４９】
これにより、セキュリティ制御装置２６にＩＤコードが登録された各電子キー２３に対して、施解錠可能な電子錠２４を個別に設定することが可能となる。しかも、電子キー２３で施解錠可能な電子錠２４をセキュリティ制御装置２６に予め登録しておけば、各人は１本の電子キー２３を所有するのみでよい。このため、ドアごとの複数の電子キー２３を所持する必要もない。また、あるＩＤコードに対し施解錠可能な電子錠２４をセキュリティ制御装置２６に一括して登録することができる。これにより、ＩＤコードの登録手続きも簡易になる。
【００５０】
また、各ドア１１，１２，１９，２０及び引戸２１，２２の電子錠２４を施解錠するためには、予めセキュリティ制御装置２６に電子キー２３のＩＤコードが登録されていなければならない。したがって、あるドア又は引戸の電子錠２４を解錠して、入室を可能とする電子キー２３の所持人を特定の者に限定することが可能となる。この結果、例えば、同じ建物の住人同士の間でも、各自の部屋に入室可能な人を選択的に設定できるので、各住人のプライバシーを保護することが可能となる。
【００５１】
本実施形態のセキュリティシステムでは、家人が有する電子キー２３のＩＤコードが電子錠２４を介してセキュリティ制御装置２６に入力されている。そして、セキュリティ制御装置２６は、電子錠２４から入力されたＩＤコードの認証を行うことで入力元である電子錠２４の施解錠制御を行っている。これにより、家人が錠穴にキーを差し込んで回さなくてもドア等の施解錠ができる。その結果、高い利便性を確保することができる。
【００５２】
本実施形態のセキュリティシステムでは、セキュリティ制御装置２６に入力されたＩＤコードが入力元である電子錠２４を施解錠可能なものとして登録されていない場合には、この電子錠２４の解錠を禁止している。これにより、登録されている電子キー２３以外の電子キー２３で解錠されるのを抑止できるので、高い防犯性を確保することができる。
【００５３】
本実施形態のセキュリティシステムでは、電子キー２３は、リクエスト信号の出力領域Ｘ１，Ｘ２に入ると、電子錠２４に対して自動的にＩＤコード信号を送信している。そして、このＩＤコード信号は電子錠２４からセキュリティ制御装置２６に入力されている。セキュリティ制御装置２６は、電子錠２４から入力されたＩＤコードの認証を行うことにより、ＩＤコードの入力元である電子錠２４の解錠を行っている。このため、電子キー２３の所有者は、電子錠２４に近づくだけで、一切の操作を行うことなく電子錠２４を解錠することができる。また、電子錠２４が解錠された後、電子キー２３がリクエスト信号の出力領域Ｘ１，Ｘ２外に出ると、電子錠２４の受信アンテナ３２ｂ，３３ｂが電子キー２３からのＩＤコード信号を受信できなくなる。この場合には、セキュリティ制御装置２６によって電子錠２４が自動的に施錠される。このため、電子キー２３の所有者は、一切の操作を行うことなくドア錠を施錠することができる。
【００５４】
本実施形態のセキュリティ制御システムでは、外出警戒モード設定時に、異常解錠が検出された場合には、通報部４１より警備会社に通報されるようになっている。これにより、高い防犯性を確保することができる。また、異常解錠が警備会社に通報される際には、どのドアもしくは窓で異常解錠があったかも通報されるようになっている。これにより、警備員が現場に急行した際にどの場所を異常を確認すればよいかを容易に知ることができる。
【００５５】
本実施形態のセキュリティシステムでは、異常発生時に現場に駆けつけた警備員が所持している電子キー２３により施解錠可能な電子錠２４が予めは登録されていない。施解錠可能な電子錠２４は、異常が発生した電子錠２４又は窓錠に応じてセキュリティ制御装置２６によって自動的に登録される。そして、登録される電子錠２４は、警備員が玄関ドア１１から異常発生エリアに入るために必要最小限の箇所のみとされている。したがって、異常が発生したエリアに入るために解錠する必要のない電子錠２４は、警備員が所持する電子キー２３では怪解錠されないので、家人のプライバシーも保護することができる。
【００５６】
本実施形態のセキュリティシステムでは、予め電子錠２４を施解錠可能として登録されている電子キー２３により電子錠２４のいずれかが解錠された場合には、外出警戒モードを解除し、自動的に在宅警戒モードに設定される。これにより、家人が帰宅後に在宅警戒モードに設定する手間を省くことができるとともに、家人が帰宅後に窓を開けた場合に警備会社に異常と通報されるのを抑止することが可能となる。
【００５７】
なお、本発明は上記実施形態の記載内容に限定されず、例えば次のように実施しても良い。
【００５８】
上記実施形態では、本セキュリティシステムが住宅１０に備えられた場合について説明した。しかし、本セキュリティシステムは、住宅１０以外の建物一般に適用可能である。
【００５９】
上記実施形態では、異常解錠が検出された場合には、通報部４１により警備会社に通報がされるものとした。しかし、異常が検出された場合には、通報と併せて、警報音を発したり、警報ランプを点滅させるようにしてもよい。これにより、より防犯性を高めることが可能になる。
【００６０】
上記実施形態では、異常発生時に警備員の所持する電子キー２３で施解錠可能な電子錠２４は、玄関ドア１１から異常発生エリアに入るために必要最小限のものとした。しかし、警備員の所持する電子キー２３で施解錠可能な電子錠２４の組み合わせは上記実施形態の組み合わせに限らない。例えば、玄関ドア１１のみならず、勝手口ドア１２まで含めて必要最小限の電子錠２４のみ施解錠可能としてもよい。
【００６１】
上記実施形態では、電子キー２３として双方向通信によるハンドフリーシステム（いわゆるスマートキーシステム）を採用した。しかし、電子キー２３の形態はこれに限らず、ボタン操作等により施解錠を行うものでもよい。また、電子キー２３は、車両の電子キーと共通のものを用いることも可能である。さらに、電子キー２３は、腕時計や携帯電話に電子錠２４との送受信回路２７，２８を組み込んだものを用いることも可能である。
【図面の簡単な説明】
【００６２】
【図１】本実施形態に係るセキュリティシステムが装備されている住宅の間取図。
【図２】本実施形態に係るセキュリティシステムのブロック図。
【図３】本実施形態に係る玄関ドアの構成を概略的に示す図。
【図４】実施形態に係る外出時のセキュリティシステムのフローチャート。
【図５】実施形態に係る外出警戒モード時のセキュリティシステムのフローチャート。
【図６】実施形態に係る帰宅時のセキュリティシステムのフローチャート。
【符号の説明】
【００６３】
２３…電子キー、２４…電子錠、２５…窓センサ、２６…セキュリティ制御装置、２７…送信回路、２７ａ…送信アンテナ、２８…受信回路、２８ａ…受信アンテナ、２９…マイコン、３０…ＩＤ登録ボタン、３１…モード設定ボタン、３２ａ，３３ａ…送信アンテナ、３４…送信回路、３２ｂ，３３ｂ…受信アンテナ、３５…受信回路、３６…電動サムターン、３７施解錠状態検出センサ…、３８…ドア開閉状態検出センサ、３９…マイコン、４０…受信回路、４０ａ…受信アンテナ、４１…通報部、４２…表示部、４３…施解錠状態検出センサ、４４…窓開閉状態検出センサ。
【図１】
0004462210.tif 000002
【図２】
0004462210.tif 000003
【図３】
0004462210.tif 000004
【図４】
0004462210.tif 000005
【図５】
0004462210.tif 000006
【図６】
0004462210.tif 000007